(57)【特許請求の範囲】
【請求項１】
壁に取り付けられ、前面に切り欠き部を有する本体と、
この本体の前面を覆うカバーと、上下両端部に前記カバーが取付けられ、前記本体に取付けられる取付金具からなるカバーユニットとを備え、
前記取付金具は、前記本体の切り欠き部に係合するツメと、前記下端部に設けられ前記カバーを回動可能に軸支する軸支部と、を有し、
前記本体に前記カバーを開いて前記カバーユニットを取付けるときに、前記取付金具のツメより下の部分で前記本体に圧接するように、前記カバーの自重によって前記カバーの回動が規制される回動規制手段を備えたことを特徴とする照明器具。
【発明の詳細な説明】
【０００１】
【発明の属する技術分野】
この発明は照明器具に係り、壁面などに設置される照明器具のカバーを容易に取付ることができる照明器具に関する。
【０００２】
【従来の技術】
照明器具のカバーを容易に取り付けるものには、従来種々な構造のものがあるが、例えば、実開平５−４５８２３号公報には、照明カバーの両端における一側縁側を回転自在に軸支し、また照明カバーの両端における他側縁側を照明機器を覆う位置にその軸支部回りの回転モーメントに抗して回動させて着脱自在に固定するものが提示されている。このため照明カバーをその都度取り外す必要がなく、照明機器の交換作業やほかの保守点検作業を簡単に行うことができる。
【０００３】
また、カバーをその都度取り外す必要のないものとして、例えば、図７の組立斜視図に示すような従来の照明器具がある。図８はカバーを本体に固定したものの断面図である。図において１は蛍光ランプを支持するソケット、２は本体、２２はカバー、２３はカバーを本体２にネジ２５により取付ける蝶番、２１はカバー２２を取付穴２７を介してネジ２６で固定する固定板である。
【０００４】
この構成において、まず本体２を壁に取り付けて電源配線された後に、カバー２２を支える２つの蝶番２３を本体の取付ネジ穴に合わせ、ネジ２５で固定する。そして、蛍光ランプをソケット１に差し込んだ後に、カバー２２を上方に持ち上げカバーの端部に設けられた取付穴２７を介してネジ２６で固定板２１に固定する。このように、ランプ交換は前面のカバー２２を手前に倒した状態で行えるため、メンテナンスが容易である。
【０００５】
【発明が解決しようとする課題】
上記のように、実開平５−４５８２３号公報に提示された従来の照明器具は、カバーを回転させるだけでは、回転軸だけでカバーを固定しているため、カバーが外れることもあり、また、組み付けが容易でなかった。
【０００６】
また、図７に示したものでは、カバー２２を本体２に取り付ける場合、カバー２２は大きいものは長さが約２ｍで、重さが約５ｋｇ以上のものもあり、カバー２２をあらかじめ取り付けられた蝶番２３を本体２に取り付けるとき、図９に示すようにカバー２２が揺れて蝶番２３の穴と本体２のネジ穴に合わせにくく、ネジ２６で固定するのが容易でなかった。
【０００７】
この発明は上記の問題を解決するためになされたもので、壁に取り付けられる照明器具の本体にカバーを取り付けるとき、容易に取付ができる照明器具を得ることを目的とする。
【０００８】
【課題を解決するための手段】
この発明に係る照明器具は、壁に取り付けられ、前面に切り欠き部を有する本体と、
この本体の前面を覆うカバーと、上下両端部に前記カバーが取付けられ、前記本体に取付けられる取付金具からなるカバーユニットとを備え、前記取付金具は、前記本体の切り欠き部に係合するツメと、前記下端部に設けられ前記カバーを回動可能に軸支する軸支部と、を有し、前記本体に前記カバーを開いて前記カバーユニットを取付けるときに、前記取付金具のツメより下の部分で前記本体に圧接するように、前記カバーの自重によって前記カバーの回動が規制される回動規制手段を備える。
【０００９】
【発明の実施の形態】
図１はこの発明の実施の形態を示す照明器具の分解斜視図、図２は照明器具の本体にカバーを取り付けるときの組立斜視図、図３は図２の断面図、図４はカバーの取付手順を示す説明図、図５は本体にカバーを固定したときの断面図である。
【００１０】
図１〜図５において、２は照明器具の本体であり、ケース１０、蛍光ランプを支持するソケット１、ソケット１を支持するソケット台３３、反射板３、及び反射板取り付け金具４に設けられた切り欠き穴１３から構成される。
【００１１】
３２はカバーユニットであり、カバー１６及びカバー１６のヒンジ６に回動可能に取り付けられる取付金具７から構成される。
５はカバー１６の縁に付けられたアクセサリー、８はカバー１６を本体２に固定するカバー固定用金具、９はカバー固定用金具８に設けられている固定ねじである。１２は切り欠き穴１３に係合するツメ、１４はつまみねじ１１のねじ頭が挿入される太い丸穴とねじ部で固定される溝付きのダルマ穴、１５はカバー１６の固定ネジ９が係合する長溝の受け口である。
【００１２】
次に、上記のように構成した照明器具の壁面への取付を図１〜図５により説明する。本体２の取付は、まず、本体２を壁面等に取付ける。この本体２には反射板取付金具４、ソケット台３３が取付られていて本体一体型となっている。本体２に反射板３をかぶせ、つまみねじ１１で仮止めする。このとき、本体２に固定されているソケット台３３からソケット１が、本体２よりも手前に出っ張っているため反射板３を本体２にかぶせる際、このソケット１に引っかけられるので、手で押さえる必要もなく容易につまみねじ１１で反射板３を本体２の反射板取付金具４に仮止めすることができる。
【００１３】
本体２へのカバーユニット３２の取付は、まず、カバーユニット３２を取付金具７の上端部７ａを持って図２，図３及び図４（ａ）に示すように、取付金具７の底部７ｂを本体２の反射板３に近づける。このとき、カバー１６はヒンジ６を中心に前下方に回動し（矢印Ａ）、カバー１６の端部であるアクセサリー５が取付金具の回動規制手段である下端部７ｃに当接し、カバー１６が下方向に吊り下がる前で回動が停止した状態となる。このとき、カバー１６の重量により手で保持している取付金具７上端部７ａのＢ点を中心とした回転モーメントが生じ（Ａ方向）取付金具７の底部７ｂが傾斜した状態となる。
【００１４】
次に、図４（ｂ）に示すようにカバーユニット３２を本体２に当接させると、取付金具７の底部７ｂのツメ１２より下の部分Ｃが本体２の前面である反射板３に圧接される。そして、この状態で取付金具７を少しずつずらしながらツメ１２を本体２の切り欠き穴１３の位置に合わせ、図４（ｃ）に示すように取付金具７の下端部７ｃを少し手前に引き、ツメ１２を本体２の切り欠き穴１３に引っ掛け、仮固定をする。
【００１５】
このとき、取付金具７とカバー１６はヒンジ６によって取付られているため本来ならば自在に回動してしまうが、アクセサリー５が取付金具７の下端部７ａに当接し、回動範囲を規制しているので、カバー１６が自由な状態で吊り下がる前で回動が停止して、取付金具７の底部７ｂが傾斜して、ツメ１２より下の部分Ｃが本体２の前面である反射板３に圧接した状態となり、カバー１６が自在に動かないために取付金具７がぐらつかず、また、ツメ１２を切り欠き穴１３に合わせて、傾いてる底部７ｂを本体２に押し当てるだけでツメ１２を切り欠き穴１３に引っ掛けることができ、本体２への取付が容易である。
【００１６】
次に、取付金具７のツメ１２を本体２に固定されている反射板取付金具４の切り欠き穴１３に引っかけると同時に、仮止めしているつまみねじ１１が取付金具７のダルマ穴１４に入り込むように掛ける。そして、この状態で反射板取付金具４に仮止めしていたつまみねじ１１で固定する。
【００１７】
そのため、重いカバーユニットでも、容易に取付可能でカバーユニットが落下する心配がない。
【００１８】
次に、ランプを取付てカバー１６を閉める。ヒンジ６の回転軸中心に、カバー１６を上方に回動させ、カバー１６に固定されているカバー取付金具８を取付金具７の上端部７ａの受け口１５にはさみ込みカバー取付金具８に備えつけられているつまみねじ９で固定する。このようにカバー１６を取り付けた照明器具の状態は図５に示すようになる。
【００１９】
このとき既にカバーユニット３２は本体２に固定されているので容易に回転を利用してカバー１６を開閉することができる。
また、カバー取付金具８に、既につまみねじ９が備え付けられているため、つまみねじ９の取付位置を探す手間もなく、カバーユニット３２を手で押さえる必要もなく容易に固定できる。
【００２０】
また、ランプ交換の際は、カバー取付金具８に備え付けられているつまみねじ９をゆるめることにより簡単にカバー１６が下方に開くことができる。このとき、アクセサリー５が取付金具７の下端部７ｃに当接し回動が規制され、余分な開放はできない。また、本体２にカバーユニット３２が固定されているため、両手で安心してランプを交換することができ、落下の心配もない。
【００２１】
なお、上記の実施の形態は、回動規制手段は取付金具７の下端部７ｃであり、カバー１６のアクセサリー５が下端部７ｃに当接することにより、カバー１６の回動を規制していたが、図６に示すように、カバー１６を鎖１８で吊り上げた状態にして回動を規制してもよい。
また、カバーは平板だけでなく丸みがあるものでもよい。
【００２２】
【発明の効果】
以上のように、この発明は、壁に取り付けられ、前面に切り欠き部を有する本体と、この本体の前面を覆うカバーと、上下両端部に前記カバーが取付けられ、前記本体に取付けられる取付金具からなるカバーユニットとを備え、前記取付金具は、前記本体の切り欠き部に係合するツメと、前記下端部に設けられ前記カバーを回動可能に軸支する軸支部と、を有し、前記本体に前記カバーを開いて前記カバーユニットを取付けるときに、前記取付金具のツメより下の部分で前記本体に圧接するように、前記カバーの自重によって前記カバーの回動が規制される回動規制手段を備えたので、カバーのぐらつきを無くすことができ、容易にカバーを取付けることができる。
る。
【図面の簡単な説明】
【図１】この発明の実施の形態を示す照明器具の分解斜視図である。
【図２】この発明の実施の形態を示す照明器具の本体にカバーを取り付けるときの組立斜視図である。
【図３】図２の断面図である。
【図４】この発明の実施の形態を示す照明器具のカバーの取付状態を示す説明図である。
【図５】この発明の実施の形態を示す照明器具の本体にカバーを固定したときの断面図である
【図６】この発明の実施の形態を示す照明器具の断面図である。
【図７】従来の照明器具の一例を示す斜視図である。
【図８】図７の照明器具の断面図である。
【図９】従来の照明器具のカバーの取付状態を示す説明図である。
【符号の説明】
２  本体、６  ヒンジ、７  取付金具、７ａ  上端部、７ｂ  底部、７ｃ  下端部、１２  ツメ、１３  切り欠穴、１６  カバー、３２  カバーユニット。
【図１】
0003858214.tif 000002
【図２】
0003858214.tif 000003
【図３】
0003858214.tif 000004
【図４】
0003858214.tif 000005
【図５】
0003858214.tif 000006
【図６】
0003858214.tif 000007
【図７】
0003858214.tif 000008
【図８】
0003858214.tif 000009
【図９】
0003858214.tif 000010